(57)【要約】【課題】害虫の捕獲が容易で、且つ、捕獲した害虫が逃げ出すおそれが少ない害虫捕獲具を提供すること。【解決手段】害虫捕獲具１は、ペットボトル１００の口部１０１に装着される。害虫捕獲具１は、口部１０１へ挿入される筒部１０と、害虫をすくい取るすくい部２１を備える。筒部１０とすくい部２１は、第１滑落部２２を介して接続される。従って、すくい取った害虫を筒部１０からペットボトル１００の底部１０２へ落下させることができるので、手で害虫に触ることなく、容易に害虫を捕獲して容器に集めることができる。また、筒部１０の先端部１１は先細り形状であり、口部１０１からペットボトル１００の底部へ向かって突出する。従って、捕獲した害虫がペットボトルの内面を伝って這い上がってきても、筒部１０の先端部１１から害虫が侵入しにくい。よって、捕獲した害虫が逃げ出すおそれが少ない。【選択図】図４
0003226440.tif 000002
【実用新案登録請求の範囲】
【請求項１】
容器の口部へ挿入される筒部と、
害虫をすくい取るすくい部と、
前記筒部と前記すくい部とを接続し、前記すくい部から前記筒部へ前記害虫を滑落させる漏斗状の第１滑落部と、を有し、
前記筒部は、前記口部から前記容器の底部へ向かって突出する先端部を備え、
前記先端部は、先細り形状であることを特徴とする害虫捕獲具。
【請求項２】
前記第１滑落部と前記筒部との接続部は、前記筒部の中心線を含む平面で切断した断面形状が湾曲状の湾曲部を備えることを特徴とする請求項１に記載の害虫捕獲具。
【請求項３】
前記第１滑落部と前記筒部との接続部は、前記筒部から径方向外側へ突出する環状部分を備えることを特徴とする請求項１に記載の害虫捕獲具。
【請求項４】
前記第１滑落部は、前記筒部とは反対側に向かって開口する開口部を備え、
前記すくい部は、前記開口部の周方向の一部から前記筒部とは反対側へ延びており、周方向に湾曲していることを特徴とする請求項２または３に記載の害虫捕獲具。
【請求項５】
前記口部の外周側に装着される外側筒部を有し、
前記外側筒部は、前記第１滑落部に接続され、
前記外側筒部の内周面に、前記口部の外周面に形成された雄ねじ部と螺合する雌ねじ部が設けられていることを特徴とする請求項１から４の何れか一項に記載の害虫捕獲具。
【請求項６】
容器の口部へ挿入される筒部を備えた第１部品と、
前記口部の外周側に装着される外側筒部、害虫をすくい取るすくい部、および、外側筒部とすくい部とを接続し、前記すくい部から前記筒部へ前記害虫を滑落させる漏斗状の第２滑落部を備えた第２部品と、を有し、
前記筒部は、前記口部から前記容器の底部へ向かって突出する先端部を備え、
前記先端部は、先細り形状であることを特徴とする害虫捕獲具。
【請求項７】
前記外側筒部の内周面に、前記口部の外周面に形成された雄ねじ部と螺合する雌ねじ部が設けられたことを特徴とする請求項６に記載の害虫捕獲具。
【請求項８】
前記第１部品は、前記筒部から径方向外側へ突出する第１環状部分を備え、
前記第２部品は、前記外側筒部から径方向内側へ突出する第２環状部分を備え、
前記第１環状部分は、前記口部の先端と前記第２環状部分との間に配置されることを特徴とする請求項６または７に記載の害虫捕獲具。
【請求項９】
前記第２滑落部は、前記筒部とは反対側に向かって開口する開口部を備え、
前記すくい部は、前記開口部の周方向の一部から前記筒部とは反対側へ延びており、周方向に湾曲していることを特徴とする請求項８に記載の害虫捕獲具。
【請求項１０】
口部を備えた容器と、
請求項１から９の何れか一項に記載の害虫捕獲具と、を有し、
前記害虫捕獲具は前記口部に装着され、前記先端部が前記口部から前記容器の底部へ向かって突出しており、
前記容器の底部には、粘着剤もしくは殺虫剤が注入されていることを特徴とする容器付き害虫捕獲具。
【考案の詳細な説明】
【技術分野】
【０００１】
本考案は、カメムシなどの害虫を捕獲するための害虫捕獲具および容器付き害虫捕獲具に関する。
【背景技術】
【０００２】
特許文献１には、カメムシなどの害虫を捕獲する害虫捕獲具が開示されている。特許文献１の害虫捕獲具は、ペットボトルの口部に装着して手作業で害虫を捕獲するときに使用するものであり、ペットボトルの口部に挿入される管状の足部と、足部の上端から上方に向かって拡がる滑落部と、滑落部の上端から立ち上がる捕獲部を備える。
【０００３】
特許文献１の害虫捕獲具を使用するときは、害虫が止まっている面に沿って捕獲部の先端を滑らせて、捕獲部で害虫をすくって滑落部の内側へ滑落させる。滑落した害虫は、足部を通ってペットボトル内へ落下する。捕獲後は、中栓を閉めることによってペットボトルから害虫が逃げ出すことを防止する。
【先行技術文献】
【特許文献】
【０００４】
【特許文献１】特開２０１３−９４１４３号公報
【考案の概要】
【考案が解決しようとする課題】
【０００５】
特許文献１の害虫捕獲具は、ペットボトルの口部に差し込まれる足部の先端（下端）がペットボトルの内側へ突出している。しかしながら、足部の先端とペットボトルの内面との距離が近いので、ペットボトル内へ落下した害虫がペットボトルの内面を伝って這い上がったとき、ペットボトルの内面から足部の先端（下端）へ害虫が容易に移動できてしまう。従って、中栓をしておかないと、害虫が足部から滑落部へ這い上がって逃げ出すおそれがある。
【０００６】
また、特許文献１の害虫捕獲具は、捕獲部の先端で害虫をすくって捕獲する際に、捕獲部の手前側の部分が邪魔になって害虫が見えにくい。特に、上方に止まっている害虫を捕獲する際、捕獲部に隠れて害虫が見えなくなってしまう。そのため、害虫を捕獲しにくいという問題がある。
【０００７】
以上の問題点に鑑みて、本考案の課題は、害虫の捕獲が容易で、且つ、捕獲した害虫がペットボトルなどの容器から逃げ出すおそれが少ない害虫捕獲具および容器付き害虫捕獲具を提供することにある。
【課題を解決するための手段】
【０００８】
上記課題を解決するために、本考案の害虫捕獲具は、容器の口部へ挿入される筒部と、害虫をすくい取るすくい部と、前記筒部と前記すくい部とを接続し、前記すくい部から前記筒部へ前記害虫を滑落させる漏斗状の第１滑落部と、を有し、前記筒部は、前記口部から前記容器の底部へ向かって突出する先端部を備え、前記先端部は、先細り形状であることを特徴とする。
【０００９】
また、上記課題を解決するために、本考案の害虫捕獲具は、容器の口部へ挿入される筒部を備えた第１部品と、前記口部の外周側に装着される外側筒部、害虫をすくい取るすくい部、および、外側筒部とすくい部とを接続し、前記すくい部から前記筒部へ前記害虫を
滑落させる漏斗状の第２滑落部を備えた第２部品と、を有し、前記筒部は、前記口部から前記容器の底部へ向かって突出する先端部を備え、前記先端部は、先細り形状であることを特徴とする。
【００１０】
本考案の害虫捕獲具は、害虫をすくい取るすくい部を備えているので、手で害虫に触ることなく、容易に害虫を捕獲して容器に集めることができる。また、筒部は、容器の底部に向かって突出する先細り形状の先端部を備える。従って、捕獲した害虫が容器の内面を伝って這い上がってきても、筒部の先端部から害虫が侵入しにくい。よって、捕獲した害虫が容器から逃げ出すおそれが少ない。
【００１１】
本考案の害虫捕獲具は、筒部とすくい部とが繋がった単一の部品で構成されていてもよいし、筒部を備えた第１部品と、すくい部を備えた第２部品の２部品で構成されていてもよい。単一の部品で構成される場合には、容器への装着が容易である。また、２部品で構成される場合には、各部品の構成を単純化することができる。従って、各部品の製造が容易である。
【００１２】
本考案において、害虫捕獲具が筒部とすくい部とが繋がった単一の部品で構成される場合には、前記第１滑落部と前記筒部との接続部は、前記筒部の中心線を含む平面で切断した断面形状が湾曲状の湾曲部を備えることが好ましい。このようにすると、すくい部から筒部へ落下する途中で害虫が引っ掛かりにくい。従って、筒部へ害虫を落下させやすい。
【００１３】
本考案において、害虫捕獲具が筒部とすくい部とが繋がった単一の部品で構成される場合には、前記第１滑落部と前記筒部との接続部は、前記筒部から径方向外側へ突出する環状部分を備えることが好ましい。このようにすると、筒部を口部に挿入したときに口部の先端に環状部分が当たるので、害虫捕獲具を口部に位置決めすることができる。従って、害虫捕獲具を容器に装着しやすい。
【００１４】
本考案において、害虫捕獲具が筒部を備えた第１部品と、すくい部を備えた第２部品の２部品で構成される場合には、前記第１部品は、前記筒部から径方向外側へ突出する第１環状部分を備え、前記第２部品は、前記外側筒部から径方向内側へ突出する第２環状部分を備え、前記第１環状部分は、前記口部の先端と前記第２環状部分との間に配置されることが好ましい。このようにすると、筒部を口部に挿入したときに第１環状部分が口部の先端に当たるので、第１部品を口部に位置決めすることができる。また、第２部品を装着することにより、口部と第２環状部分との間に第１環状部分を挟んで保持できる。従って、口部から第１部品が抜けないようにすることができる。
【００１５】
本考案において、前記口部の外周側に装着される外側筒部を有し、前記外側筒部は、前記第１滑落部に接続され、前記外側筒部の内周面に、前記口部の外周面に形成された雄ねじ部と螺合する雌ねじ部が設けられていることが好ましい。このようにすると、口部から害虫捕獲具が脱落しないようにすることができる。また、キャップの着脱と同じ操作によって害虫捕獲具を装着できる。従って、容器への害虫捕獲具の装着が容易である。
【００１６】
本考案において、害虫捕獲具が筒部とすくい部とが繋がった単一の部品で構成される場合には、前記第１滑落部は、前記筒部とは反対側に向かって開口する開口部を備え、前記すくい部は、前記開口部の周方向の一部から前記筒部とは反対側へ延びており、周方向に湾曲していることが好ましい。また、害虫捕獲具が筒部を備えた第１部品と、すくい部を備えた第２部品の２部品で構成される場合には、前記第２滑落部は、前記筒部とは反対側に向かって開口する開口部を備え、前記すくい部は、前記開口部の周方向の一部から前記筒部とは反対側へ延びており、周方向に湾曲していることが好ましい。このように、本考案では、漏斗状の滑落部の開口部の周方向の一部にすくい部が設けられている。従って、
すくい部が設けられていない部分は大きく切り欠かれた形状になっているので、害虫をすくう際に害虫が見え易い。よって、害虫の捕獲が容易である。また、すくい部は周方向に湾曲しており、漏斗状の滑落部を介して筒部と繋がっている。このような形状では、すくい部から害虫が落下しにくく、漏斗状の滑落部から筒部に害虫を落下させやすい。従って、害虫の捕獲が容易である。
【００１７】
次に、本考案の容器付き害虫捕獲具は、口部を備えた容器と、上記の害虫捕獲具と、を有し、前記害虫捕獲具は前記口部に装着され、前記先端部が前記口部から前記容器の底部へ向かって突出しており、前記容器の底部には、粘着剤もしくは殺虫剤が注入されていることを特徴とする。
【００１８】
本考案の容器付き害虫捕獲具は、上記の害虫捕獲具を備えているので、手で害虫に触ることなく、容易に害虫を捕獲して容器に集めることができる。また、捕獲した害虫が容器から逃げ出すおそれが少ない。さらに、容器の底部に落下した害虫を粘着剤もしくは殺虫剤によって動けなくすることができるため、捕獲した害虫が容器から逃げ出すおそれをさらに少なくすることができる。
【考案の効果】
【００１９】
本考案によれば、手で害虫に触ることなく、容易に害虫を捕獲して容器に集めることができる。また、容器の口部に挿入される筒部は、容器の底部に向かって突出する先細り形状の先端部を備えるため、捕獲した害虫が容器の内面を伝って這い上がってきても、筒部の先端部から害虫が侵入しにくい。従って、捕獲した害虫が容器から逃げ出すおそれが少ない。
【図面の簡単な説明】
【００２０】
【図１】本考案を適用した実施形態１の害虫捕獲具の斜視図である。
【図２】実施形態１の害虫捕獲具をペットボトルに装着した容器付き害虫捕獲具を示す斜視図である。
【図３】実施形態１の害虫捕獲具およびペットボトルの口部の断面図である。
【図４】実施形態１の害虫捕獲具を用いた害虫の捕獲方法を示す側面図である。
【図５】粘着剤を注入した容器付き害虫捕獲具を示す斜視図である。
【図６】実施形態２の害虫捕獲具の分解斜視図である。
【図７】実施形態２の害虫捕獲具およびペットボトルの口部の断面図である。
【図８】実施形態３の害虫捕獲具およびペットボトルの口部の断面図である。
【考案を実施するための形態】
【００２１】
以下、図面を参照して、本考案を適用した害虫捕獲具および容器付き害虫捕獲具の実施形態を説明する。本考案の害虫捕獲具は、例えば樹脂で形成され、筒状の口部を備える容器に着脱して使用される。以下に説明する実施形態では、容器の例としてペットボトルを示しているが、容器はペットボトルに限定されるものではない。また、害虫捕獲具を形成する素材は樹脂以外でもよい。
【００２２】
＜実施形態１＞
図１は本考案を適用した実施形態１の害虫捕獲具１の斜視図である。また、図２は、実施形態１の害虫捕獲具１をペットボトル１００に装着した容器付き害虫捕獲具１００Ａを示す斜視図である。図２に示すように、害虫捕獲具１をペットボトル１００の口部１０１に装着することにより、容器付き害虫捕獲具１００Ａとして使用することができる。図１、図２に示すように、害虫捕獲具１は、ペットボトル１００の口部１０１へ挿入される筒部１０と、害虫を捕獲するための捕獲部２０と、筒部１０の外周側を囲む円筒状の外側筒部３０を備える。筒部１０は、外側筒部３０から捕獲部２０とは反対側へ突出する先端部
１１を備える。
【００２３】
実施形態１の害虫捕獲具１は、筒部１０と捕獲部２０とが外側筒部３０の内側で繋がっており、一体化されている。以下、本明細書において、筒部１０の中心線をＬとし、中心線Ｌに沿う方向の一方側をＬ１とし、他方側をＬ２とする。捕獲部２０は、害虫をすくい取るすくい部２１と、すくい部２１と筒部１０とを接続し、すくい部２１から筒部１０へ害虫を滑落させる漏斗状の第１滑落部２２を備える。すくい部２１は、害虫捕獲具１の一方側Ｌ１の端部に形成されている。筒部１０は、すくい部２１とは反対側の端部（すなわち、他方側Ｌ２の端部）に形成されている。
【００２４】
図３は、実施形態１の害虫捕獲具１およびペットボトル１００の口部１０１の断面図である。筒部１０は、外側筒部３０の内側において円筒状に延びる円筒部１２を備える。筒部１０の先端部１１は、口部１０１の下端からペットボトル１００の底部へ向かって突出する。筒部１０の先端部１１は先細り形状であり、他方側Ｌ２へ向かうに従って中心線Ｌと直交する方向の径が細くなっている。
【００２５】
外側筒部３０は、口部１０１の外周側に装着される。図３に示すように、口部１０１の外周面には、ペットボトル１００のキャップを着脱可能に装着するための雄ねじ部１０４が形成されている。一方、外側筒部３０の内周面には、雄ねじ部１０４と螺合する雌ねじ部３１が形成されている。従って、害虫捕獲具１は、ペットボトル１００にキャップを着脱するのと同じ操作によって、ペットボトル１００に着脱可能である。このように、害虫捕獲具１は、既存のペットボトル１００の構造をそのまま利用してペットボトル１００に装着できる。従って、既存のペットボトル１００に対して加工を行う必要がなく、簡単に装着することができる。
【００２６】
すくい部２１と筒部１０とを接続する第１滑落部２２は、筒部１０とは反対側へ向かって漏斗状に拡がる漏斗状部分２３を備える。図１、図２に示すように、漏斗状部分２３の先端には、筒部１０とは反対側に向かって開口する開口部２４が設けられている。すくい部２１は、開口部２４の周方向の一部から筒部１０とは反対側（すなわち、一方側Ｌ１）へ延びており、周方向に湾曲している。
【００２７】
図３に示すように、第１滑落部２２と筒部１０との接続部は、円筒部１２の一方側Ｌ１の端部から略直角に屈曲して径方向外側へ突出する環状部分２５を備える。環状部分２５の外周縁には、漏斗状部分２３および外側筒部３０が接続される。漏斗状部分２３は、環状部分２５の外周縁から一方側Ｌ１へ延びており、外側筒部３０は、環状部分２５の外周縁から他方側Ｌ２へ延びている。外側筒部３０と円筒部１２との間には、ペットボトル１００の口部１０１を装着可能な隙間が形成されている。
【００２８】
図４は、実施形態１の害虫捕獲具１を用いた害虫Ｇの捕獲方法を示す側面図である。害虫捕獲具１をペットボトル１００に装着した容器付き害虫捕獲具１００Ａを用いて、壁面２００に止まった害虫Ｇを捕獲する際は、すくい部２１の先端を壁面２００に沿わせて害虫Ｇをすくい取る。すくい部２１によって捕獲されたカメムシなどの害虫Ｇは、すくい部２１から開口部２４の内側に落下し、第１滑落部２２および筒部１０を通ってペットボトル１００の内部へ落下する。
【００２９】
図２、図４に示すように、筒部１０の先端部１１は、ペットボトル１００の肩部１０３と口部１０１との接続位置よりもペットボトル１００の底部１０２の側へ大きく突出している。つまり、筒部１０の先端部１１から見て、ペットボトル１００の肩部１０３は、先端部１１へ向かって害虫Ｇが移動することを妨げる返し形状となっている。また、本形態では、筒部１０の先端部１１が先細り形状である。従って、捕獲した害虫Ｇがペットボト
ル１００の底部から這い上がってきたとしても、害虫Ｇは肩部１０３から筒部１０の先端部１１へ移動しにくく、肩部１０３からペットボトル１００の底部１０２へ再度落下する可能性が高い。従って、先端部１１から筒部１０の内部に害虫Ｇが侵入しにくいので、捕獲した害虫Ｇがペットボトル１００から逃げ出すおそれが少ない。
【００３０】
図４に示すように、実施形態１のすくい部２１の形状は、先端側（すなわち、一方側Ｌ１）へ向かうに従って周方向の幅が狭まる形状である。すくい部２１の先端の周方向の両端部には、湾曲状の面取り部２６が形成されている。実施形態１では、すくい部２１が形成される角度範囲は１８０°より小さい。すなわち、捕獲部２０は、すくい部２１に対して径方向の反対側が１８０°より大きい角度範囲にわたって切り欠かれている。このように、すくい部２１の径方向の反対側が大きく切り欠かれていると、害虫Ｇを捕獲する際にすくい部２１および害虫Ｇが見えやすい。従って、容易に害虫Ｇを捕獲することができる。
【００３１】
実施形態１では、漏斗状部分２３の外形は中心線Ｌを中心とする円錐状であり、開口部２４は、一方側Ｌ１から見た形状が円形である。従って、すくい部２１は、中心線Ｌを中心として円弧状に湾曲する。このように、すくい部２１が周方向に湾曲していると、害虫Ｇを捕獲する際、湾曲面の周方向の中央に害虫Ｇが集まりやすい。従って、開口部２４の外側に害虫Ｇが落下するおそれが少ないので、害虫Ｇの捕獲に失敗するおそれが少ない。また、漏斗状部分２３から筒部１０へ害虫Ｇを落下させやすい。従って、害虫Ｇの捕獲が容易である。
【００３２】
（実施形態１の変形例）
実施形態１の害虫捕獲具１において、第１滑落部２２と筒部１０との接続部に害虫が引っ掛かりにくい形態を採用してもよい。例えば、実施形態１の害虫捕獲具１は、第１滑落部２２と筒部１０との接続部が、筒部１０に対して略直角に繋がる環状部分２５を備えているが、第１滑落部２２と筒部１０との接続部は、筒部１０の中心線Ｌを含む平面で切断した断面形状が湾曲状の湾曲部を備える形態であってもよい。湾曲部は、内周側へ凸になった湾曲形状とし、漏斗状部分２３と筒部１０とを滑らかに接続する湾曲形状であることが好ましい。このようにすると、すくい部２１から筒部１０へ落下する途中で害虫が引っ掛かりにくい。従って、筒部１０へ害虫を落下させやすい。
【００３３】
なお、上記のように、第１滑落部２２と筒部１０との接続部に湾曲部を設ける場合は、その範囲をすくい部２１が設けられている角度範囲に限定してもよいし、全周に湾曲部を設けてもよい。
【００３４】
＜粘着剤の併用＞
図５は、粘着剤を注入した容器付き害虫捕獲具１００Ａを示す斜視図である。図５に示す容器付き害虫捕獲具１００Ａは、害虫捕獲具１を装着する前のペットボトル１００に粘着剤３００を注入し、しかる後に害虫捕獲具１を取り付けたものである。粘着剤３００は、図５に示すように、ペットボトル１００の底部１０２全体に拡がっていることが好ましいが、底部１０２の一部のみに粘着剤３００が付着していてもよい。捕獲した害虫が粘着剤３００の上に落下した場合、および、害虫が底部１０２を移動する際に粘着剤３００の上を通過した場合には、害虫が粘着剤３００に捕捉されて動けなくなる。従って、ペットボトル１００から害虫が逃げ出すおそれを少なくすることができる。
【００３５】
なお、粘着剤３００の代わりに液状の殺虫剤をペットボトル１００に注入してもよい。液状の殺虫剤であれば、ペットボトル１００の底部１０２全体に拡がりやすい。従って、ペットボトル１００の底部に落下した害虫が殺虫剤に接触しやすいので、殺虫剤によって害虫を動けなくすることができる。よって、ペットボトル１００から害虫が逃げ出すおそ
れを少なくすることができる。
【００３６】
＜実施形態２＞
図６は実施形態２の害虫捕獲具１Ａの斜視図である。また、図７は、実施形態２の害虫捕獲具１Ａおよびペットボトル１００の口部１０１の断面図である。以下、実施形態１と同一の構成は同一の符号を付して説明する。図６に示すように、実施形態２の害虫捕獲具１Ａは、筒部１０を備えた第１部品２と、捕獲部２０Ａおよび外側筒部３０を備えた第２部品３の２つの部品からなる。筒部１０は、円筒部１２および先端部１１を備える。捕獲部２０Ａは、害虫をすくい取るすくい部２１と、外側筒部３０とすくい部２１とを接続する第２滑落部２７を備える。
【００３７】
第２部品３は、外側筒部３０の一方側Ｌ１の端部から径方向内側へ突出する第２環状部分２８を備える。第２滑落部２７は、第２環状部分２８の外周縁から外側筒部３０とは反対側（すなわち、一方側Ｌ１）に向かって漏斗状に拡がる漏斗状部分２３を備える。実施形態２では、第２滑落部２７は、漏斗状部分２３からなる。第２環状部分２８は、漏斗状部分２３と外側筒部３０との接続位置から内周側に向かって突出する。
【００３８】
第１部品２は、筒部１０の一方側Ｌ１の端部から外周側へ拡がる第１環状部分１３を備える。図７に示すように、第１部品２をペットボトル１００の口部１０１に取り付ける際、筒部１０は、第１環状部分１３が口部１０１の先端面１０５に当たる位置まで口部１０１に挿入される。しかる後に、第２部品３の外側筒部３０を口部１０１の外周側へ装着する。その際、実施形態１と同様に、口部１０１に形成された雄ねじ部１０４と、外側筒部３０に形成された雌ねじ部３１とを用いて装着する。第２部品３を口部１０１に装着すると、第２部品３に設けられた第２環状部分２８と口部１０１の先端面１０５との間に第１部品２の第１環状部分１３が配置される。従って、第１部品２は、第１環状部分１３が口部１０１と第２部品３との間に挟まれて口部１０１から抜けなくなる。
【００３９】
以上のように、実施形態２の害虫捕獲具１Ａは、ペットボトル１００に取り付けた場合に実施形態１の害虫捕獲具１と略同一の構成が得られる。すなわち、第１部品２および第２部品３をペットボトル１００の口部１０１に取り付けると、口部１０１に挿入された筒部１０と漏斗状部分２３とが連通する。従って、実施形態１と同様に、手を使わずに害虫を捕獲できる。また、害虫の捕獲が容易であり、捕獲した害虫が逃げ出しにくい。更に、実施形態１の害虫捕獲具１は単一の部品で構成されているが、実施形態２の害虫捕獲具１Ａは２部品で構成されるため、各部品の構成を単純化することができる。従って、各部品の製造が容易である。また、上記形態と同様に、粘着剤３００あるいは殺虫剤を注入したペットボトル１００の口部１０１に取り付けて使用することができる。
【００４０】
＜実施形態３＞
図８は実施形態３の害虫捕獲具１Ｂおよびペットボトル１００の口部１０１の断面図である。図８に示すように、実施形態３の害虫捕獲具１Ｂは、筒部１０および捕獲部２０Ｂを備えている。実施形態３の害虫捕獲具１Ｂは、筒部１０と捕獲部２０Ｂとが繋がっており、一体化されている。筒部１０は、上記各形態と同様に円筒部１２および先端部１１を備えており、先端部１１は先細り形状である。捕獲部２０Ｂは、害虫をすくい取るすくい部２１と、すくい部２１と筒部１０とを接続し、すくい部２１から筒部１０へ害虫を滑落させる漏斗状の第１滑落部２２Ｂを備える。第１滑落部２２Ｂは、筒部１０とは反対側へ向かって漏斗状に拡がる漏斗状部分２３Ｂを備える。すくい部２１は、漏斗状部分２３Ｂの開口部２４の周方向の一部から筒部１０とは反対側へ延びており、周方向に湾曲している。
【００４１】
実施形態３では、図８に示すように、すくい部２１の先端部の内周面に、先端側（すな
わち、一方側Ｌ１）に向かうに従って外周側に傾斜する傾斜面２１ａが設けられている。このように、すくい部２１の先端部を先端に向かうほど薄い形状にすることで、害虫をすくい上げやすくすることができる。
【００４２】
実施形態３では、第１滑落部２２Ｂと筒部１０との接続部は、円筒部１２の一方側Ｌ１の端部に繋がる円弧状平板部分２５Ａおよび湾曲部２５Ｂを備える。円弧状平板部分２５は、円筒部１２の一方側Ｌ１の端部の周方向の一部から略直角に屈曲して径方向外側へ突出する。一方、湾曲部２５Ｂは、図８に示すように、筒部１０の中心線Ｌを含む面で切断した断面形状が湾曲状である。より詳細には、湾曲部２５Ｂは、内周側へ凸になった湾曲形状であり、筒部１０と漏斗状部分２３Ｂとを滑らかに接続する形状である。
【００４３】
湾曲部２５Ｂは、すくい部２１が形成される角度範囲に設けられている。湾曲部２５Ｂの周方向の両端は、円弧状平板部分２５Ａの周方向の両端に滑らかに繋がっている。円弧状平板部分２５および湾曲部２５Ｂの外周縁には、漏斗状部分２３Ｂが接続されている。湾曲部２５Ｂと漏斗状部分２３Ｂとは滑らかな湾曲形状に接続されている。
【００４４】
実施形態３では、害虫捕獲具１Ｂをペットボトル１００の口部１０１に装着する際、筒部１０を口部１０１に挿入する。実施形態３の害虫捕獲具１Ｂは、外側筒部３０を備えていないが、例えば円筒部１２を口部１０１に圧入することにより、害虫捕獲具１Ｂを口部１０１に固定することができる。実施形態３の害虫捕獲具１Ｂは、口部１０１の先端面１０５に円弧状平板部分２５Ａが当たるまで口部１０１に挿入される。これにより、害虫捕獲具１Ｂが口部１０１に位置決めされる。
【００４５】
実施形態３の害虫捕獲具１Ｂは、上記各形態と同様に、筒部１０の先端部１１が口部１０１からペットボトル１００の底部へ向かって大きく突出する。また、第１滑落部２２Ｂおよびすくい部２１を備えている。従って、捕獲した害虫Ｇが逃げ出すおそれが少ないという作用効果、および、害虫Ｇを容易に捕獲できるという作用効果を得ることができる。また、上記各形態と同様に、粘着剤３００あるいは殺虫剤を注入したペットボトル１００の口部に１０１取り付けて使用することができる。
【００４６】
また、実施形態３の害虫捕獲具１Ｂは、第１滑落部２２Ｂに漏斗状部分２３Ｂと円筒部１２とを接続する湾曲部２５Ｂが設けられているので、すくい部２１から筒部１０へ落下する途中で害虫が引っ掛かりにくい。従って、筒部１０へ害虫を落下させやすい。なお、円弧状平板部分２５Ａを設けず、全周にわたって湾曲部２５Ｂと同じ断面形状にしてもよい。このようにすると、第１滑落部２２Ｂと筒部１０との接続部が全周にわたって滑らかな湾曲状になる。従って、すくい部２１から筒部１０へ落下する途中で害虫が引っ掛かりにくい。なお、実施形態３においても、実施形態１の第１滑落部２２と同じ形状を採用してもよい。
【００４７】
（他の変形例）
上記各実施形態において、すくい部２１によって捕獲した害虫を筒部１０へ向かって落下させる部分は、漏斗状部分２３ではなく他の形態であってもよい。例えば、漏斗状部分２３の一部を切り欠いた形態であってもよいし、円錐状ではなく多角錐状であってもよい。
【符号の説明】
【００４８】
１、１Ａ、１Ｂ…害虫捕獲具、２…第２部品、３…第２部品、１０…筒部、１１…先端部、１２…円筒部、１３…第１環状部分、２０、２０Ａ、２０Ｂ…捕獲部、２１…すくい部、２１ａ…傾斜面、２２、２２Ｂ…第１滑落部、２３、２３Ｂ…漏斗状部分、２４…開口部、２５…環状部分、２６…面取り部、２７…第２滑落部、２８…第２環状部分、３０…
外側筒部、３１…雌ねじ部、１００…ペットボトル、１００Ａ…容器付き害虫捕獲具、１０１…口部、１０２…底部、１０３…肩部、１０４…雄ねじ部、１０５…先端面、２００…壁面、３００…粘着剤、Ｇ…害虫、Ｌ…中心線、Ｌ１…一方側、Ｌ２…他方側
【図１】
0003226440.tif 000003
【図２】
0003226440.tif 000004
【図３】
0003226440.tif 000005
【図４】
0003226440.tif 000006
【図５】
0003226440.tif 000007
【図６】
0003226440.tif 000008
【図７】
0003226440.tif 000009
【図８】
0003226440.tif 000010